(57)【要約】【課題】  被取付部の周囲に明暗部の境界で任意の形状を形成させることにより趣向性を向上させ得る照明装置を提供する。【解決手段】  本発明の照明装置１は、被取付部３０に取付けられる取付部１０を備え、内部に空洞８を有するとともに周面にその内部空洞８に連通する窓９を有する覆い部材２と、覆い部材２の空洞８内に窓９を塞ぐように設けられる光透過性の板材３と、板材３に設けられ、任意形状の光透過部４ａを有するとともに光透過部以外の部分を遮光部４ｂとした貼着シート４と、覆い部材２の空洞８内であって、光透過部４ａからの透過光を、被取付部３０の周りに向けて出射させる位置に設けられたＬＥＤ５ａ、５ｂ、５ｃ、５ｄ、５ｅ、５ｆからなる光源５とを具備する。【選択図】      図１
2007087892.tif 000002
【特許請求の範囲】
【請求項１】
被取付部に取付けられる取付部を備え、内部に空洞を有するとともに周面にその内部空洞に連通する１又は２以上の窓を有する覆い部材と、
該覆い部材の空洞内に上記窓を塞ぐように設けられる光透過性の板材と、
該板材に設けられ、任意形状の光透過部を有するとともに光透過部以外の部分を遮光部とした塗膜または貼着シートと、
上記覆い部材の空洞内であって、上記光透過部からの透過光を、上記被取付部の周りに向けて出射させる位置に設けられた光源とを具備することを特徴とする照明装置。
【請求項２】
被取付部に取付けられる取付部を備え、内部に空洞を有するとともに周面にその内部空洞に連通する１又は２以上の窓を有する覆い部材と、
該覆い部材の空洞内に上記窓を塞ぐように設けられる光透過性の板材と、
該板材に設けられ、任意形状の第１光透過部を有するとともに第１光透過部以外の部分を第１光透過部の透過光とは異なる色の透過光に変更する第２光透過部とした塗膜または貼着シートと、
上記覆い部材の空洞内であって、上記第１光透過部および第２光透過部からの透過光を、上記被取付部の周りに向けて出射させる位置に設けられた光源とを具備することを特徴とする照明装置。
【請求項３】
請求項１または２に記載の照明装置において、
前記光源が２以上のＬＥＤを備え、各ＬＥＤが分散配置されていることを特徴とする照明装置。
【請求項４】
請求項１乃至３のいずれかに記載の照明装置において、
前記覆い部材は前記取付部とは反対側に着脱可能な蓋を備え、該蓋を外すことにより前記空洞内への前記板材の取付け取外しが可能とされ、かつ、前記窓の空洞側に該板材の周縁部を挿入固定するための凹部が設けられていることを特徴とする照明装置。
【請求項５】
請求項１乃至４のいずれかに記載の照明装置において、
前記板材には、耐衝撃性の高いポリカーボネート又は強化硝子が用いられることを特徴とする照明装置。
【請求項６】
請求項１乃至５のいずれかに記載の照明装置において、
前記光源が、前記空洞内を、前記被取付部に対して接離する方向に往復移動するように構成されていることを特徴とする照明装置。
【請求項７】
請求項１乃至６のいずれかに記載の照明装置において、
前記光源が、前記空洞内を、前記被取付部からの法線の回りに回動するように構成されていることを特徴とする照明装置。
【発明の詳細な説明】
【技術分野】
【０００１】
本発明は、例えば周囲を照らすための照明装置に関するものである。
【背景技術】
【０００２】
階段や廊下等の屋内に利用される照明装置として、被取付部である壁内に光源を取付けて、被取付部周囲の足元を照らすように構成されたものが知られている（例えば特許文献１参照）。
【特許文献１】特開２００２−３２４４２６号公報
【発明の開示】
【発明が解決しようとする課題】
【０００３】
しかしながら、上記特許文献１のような照明装置にあっては、被取付部の周囲を単に明るくするだけであり、趣向性に乏しいものであった。
【０００４】
本発明は、このような従来技術の課題を解決するためになされたものであり、被取付部の周囲に明暗部の境界で任意の形状を形成させることにより趣向性を向上させ得る照明装置を提供することを目的とする。
【課題を解決するための手段】
【０００５】
本発明の請求項１に係る照明装置は、被取付部に取付けられる取付部を備え、内部に空洞を有するとともに周面にその内部空洞に連通する１又は２以上の窓を有する覆い部材と、該覆い部材の空洞内に上記窓を塞ぐように設けられる光透過性の板材と、該板材に設けられ、任意形状の光透過部を有するとともに光透過部以外の部分を遮光部とした塗膜または貼着シートと、上記覆い部材の空洞内であって、上記光透過部からの透過光を、上記被取付部の周りに向けて出射させる位置に設けられた光源とを具備することを特徴とする。
【０００６】
本発明の請求項２に係る照明装置は、被取付部に取付けられる取付部を備え、内部に空洞を有するとともに周面にその内部空洞に連通する１又は２以上の窓を有する覆い部材と、該覆い部材の空洞内に上記窓を塞ぐように設けられる光透過性の板材と、該板材に設けられ、任意形状の第１光透過部を有するとともに第１光透過部以外の部分を第１光透過部の透過光とは異なる色の透過光に変更する第２光透過部とした塗膜または貼着シートと、上記覆い部材の空洞内であって、上記第１光透過部および第２光透過部からの透過光を、上記被取付部の周りに向けて出射させる位置に設けられた光源とを具備することを特徴とする。
【０００７】
本発明の請求項３に係る照明装置は、請求項１または２に記載の照明装置において、前記光源が２以上のＬＥＤを備え、各ＬＥＤが分散配置されていることを特徴とする。
【０００８】
本発明の請求項４に係る照明装置は、請求項１乃至３のいずれかに記載の照明装置において、前記覆い部材は前記取付部とは反対側に着脱可能な蓋を備え、該蓋を外すことにより前記空洞内への前記板材の取付け取外しが可能とされ、かつ、前記窓の空洞側に該板材の周縁部を挿入固定するための凹部が設けられていることを特徴とする。
【０００９】
本発明の請求項５に係る照明装置は、請求項１乃至４のいずれかに記載の照明装置において、前記板材には、耐衝撃性の高いポリカーボネート又は強化硝子が用いられることを特徴とする。
【００１０】
本発明の請求項６に係る照明装置は、請求項１乃至５のいずれかに記載の照明装置において、前記光源が、前記空洞内を、前記被取付部に対して接離する方向に往復移動するように構成されていることを特徴とする。
【００１１】
本発明の請求項７に係る照明装置は、請求項１乃至６のいずれかに記載の照明装置において、前記光源が、前記空洞内を、前記被取付部からの法線の回りに回動するように構成されていることを特徴とする。
【発明の効果】
【００１２】
本発明による場合には、光源からの光は、塗膜または貼着シートの光透過部から外側に透過し、その透過光の形状は光透過部の形状になる。そして、被取付部の周りに達した光の形状は、光源、光透過部及び被取付部の位置関係に応じて変化するため、被取付部の周囲に明暗部の境界が任意の形状をした明部または暗部を形成させることができ、これにより趣向性が向上する。
【００１３】
また、本発明による場合には、光源からの光は、塗膜または貼着シートの第１、第２光透過部から外側に色違いで透過し、第１光透過部を透過した透過光の形状は第１、第２光透過部の境界の形状になり、第２光透過部を透過した透過光の形状は前記境界と窓で囲まれた形状になる。そして、被取付部の周りに達した光の形状は、光源、第１光透過部（または第２光透過部）及び被取付部の位置関係に応じて変化するため、被取付部の周囲に色違いの境界が任意の形状をした色違い部を形成させることができ、これにより趣向性が向上する。
【００１４】
請求項３による場合には、各ＬＥＤ（Ｌｉｇｈｔ  Ｅｍｉｔｔｉｎｇ  Ｄｉｏｄｅ：発光ダイオード）からの光が被取付部の周りに達する位置が、ＬＥＤ、光透過部及び被取付部の位置関係に応じて変化したものになり、ＬＥＤの数に応じた複数の形状の明部もしくは暗部（または色違い部）を被取付部の周囲に形成させ得、より趣向性を向上させ得る。
【００１５】
請求項４による場合には、蓋の開閉により凹部に対する板材の挿入や取外しが可能となる。よって、光透過部の形が種々異なる複数の板材を用意しておくことで、被取付部の周囲に形成される明部もしくは暗部（または色違い部）の形状を選択することが可能になり、或いは、用意していない光透過部の形状の板材を、例えば使用者が新規に作製することで、嗜好性を高くすることも可能になる。この場合、板材は、塗膜または貼着シートが設けられた面を内側に配することが好ましい。つまり、光透過部の形状、形態が、人為的な行為（例えば悪戯）や自然現象（例えば風、雨）などにより損傷を受けて変化するのを防止するためである。
【００１６】
請求項５による場合には、耐衝撃性の高い板材を用いているので、被取付部が人や車等が通る箇所であっても、板材が破損し難い。
【００１７】
請求項６による場合には、光源が被取付部への接離方向に往復移動することにより、光源（各ＬＥＤを含む）、光透過部及び被取付部の位置関係が変化して、被取付部の周囲に形成される明部もしくは暗部（または色違い部）の位置が被取付部に接離する方向で変わり、より多彩な形状の明部もしくは暗部（または色違い部）を被取付部の周囲に形成させ得る。
【００１８】
請求項７による場合には、光源の回動により、光源（各ＬＥＤを含む）、光透過部及び被取付部の位置関係が変化して、被取付部の周囲に形成される明部もしくは暗部（または色違い部）の位置が被取付部を中心として回動し、より多彩な形状の明部もしくは暗部（または色違い部）を被取付部の周囲に形成させ得る。特に、請求項６と組み合わせると、もっと多彩な形状の明部もしくは暗部（または色違い部）を被取付部の周囲に形成させ得る。
【発明を実施するための最良の形態】
【００１９】
以下に、本発明を具体的に説明する。
【００２０】
図１は本発明の一実施形態に係る照明装置を示す正面断面図である。
【００２１】
この照明装置１は、覆い部材２と光透過性の板材３と貼着シート４と光源５とを具備する。覆い部材２は、図示例では概略円筒状をした本体６と、その本体６の上部開口に着脱可能に取付けられたドーム状をした蓋７とを有して構成され、内部に空洞８が形成されているとともに、周面にその内部空洞８に連通する複数、図示例では４つの窓９が形成されている。窓９は、図示例では縦長の短冊状に開設されている。
【００２２】
覆い部材２の下端は、被取付部３０に取付けられる取付部１０として用いられ、本実施形態では被取付部３０に埋設されている。被取付部３０としては、例えば公園入口などが該当する。つまり、この場合の覆い部材２は公園入口などの車止めとしても機能する。
【００２３】
本体６の内部には、上下方向に適長離隔して上側ホルダー１１と下側ホルダー１２とが設けられており、上側ホルダー１１は窓９よりも上方位置に配され、一方の下側ホルダー１２は窓９よりも下方位置に配されている。下側ホルダー１２は、本体６の内部に形成した支持用突起１３に受け止められることで支持されている。上側ホルダー１１は、下側ホルダー１２にて下端が支持された板材３の上端で支持されている。
【００２４】
上側ホルダー１１と下側ホルダー１２は、同一構成のものであり、上下逆向きにして取付けられている。
【００２５】
図２は上側ホルダー１１の平面図（下側ホルダー１２の底面図）である。この上側ホルダー１１（または下側ホルダー１２）は、図１及び図２に示すように、円筒部１１ａ（１２ａ）の上端（下端）に内向きのフランジ１１ｂ（１２ｂ）が形成され、円筒部１１ａ（１２ａ）の下端側（上端側）の外周部に凹部１１ｃ（１２ｃ）が形成されている。凹部１１ｃ（１２ｃ）は、例えば４等分位置に設けられ、円筒部１１ａ（１２ａ）の外周部を少し欠落させることで形成されている。
【００２６】
これら上側ホルダー１１および下側ホルダー１２は、本体６に対して位置決めすることにより取付けられている。つまり、本体６の内面に形成した位置決め突起１４に、上側ホルダー１１（下側ホルダー１２）の外周部に形成した位置決め凹部１５を一致させて取付けられている。上記位置決め突起１４及び位置決め凹部１５は、本実施形態ではそれぞれ２つ設けられている。図３は、本体６に上側ホルダー１１（下側ホルダー１２）を位置決めして取付けた状態を示す図（図１のＡ−Ａ線による断面図）である。
【００２７】
このような位置決めは、窓９を塞ぐように上記板材３を配置させるためである。つまり、凹部１１ｃ（１２ｃ）を窓９に向くように配置させ、かつ窓９の空洞８側であって左右両側に例えば断面Ｌ字状に形成した切欠部（凹部）９ａと凹部１１ｃ（１２ｃ）とで囲まれる領域に板材３を配置させるためである。これにより、窓９の空洞８側には、上記板材３が窓９を塞ぐように設けられている。板材３は、窓９よりも上下左右で大きい短冊状のものが用いられている。そして、板材３の上端部は切欠部９ａと凹部１１ｃとで囲まれる領域に挿入固定され、板材３の下端部は切欠部９ａと凹部１２ｃとで囲まれる領域に挿入固定される。なお、位置決め突起１４及び位置決め凹部１５は、逆に設けてもよい。つまり、位置決め突起１４を上側ホルダー１１（下側ホルダー１２）に、位置決め凹部１５を本体６に設けてもよい。
【００２８】
図４（平面図）に、切欠部９ａと凹部１１ｃ（１２ｃ）とで囲まれる領域に板材３を配置させた状態を模式的に示す。なお、図４中の１６は、切欠部９ａの内側であって板材３の広面と対向する面に設けられた緩衝材である。
【００２９】
このように配置された板材３には、貼着シート４が設けられている。この貼着シート４は、任意形状、本実施形態では図１に示すように縦長のスリット状をした光透過部４ａを中央部に有するとともに光透過部以外の部分を遮光部４ｂとして形成されている。そして、板材３は、貼着シート４が内面側に位置するように取付けるのが好ましい（図４参照）。つまり、光透過部４ａの形状、形態が、人為的な行為（例えば悪戯）や自然現象（例えば風、雨）などにより損傷を受けて変化するのを防止するためである。なお、貼着シート４に代えて、塗膜を用いることもできる。この場合は、遮光部４ｂに不透明な塗膜を形成することになる。
【００３０】
また、板材３は、耐衝撃性の高いポリカーボネート又は強化硝子が用いられる。つまり、耐衝撃性の高い板材を用いるのは、本実施形態のように照明装置１を公園入口のような人や車等が通る被取付部３０に設けても、板材３が破損し難いようにするためである。
【００３１】
光源５は、上側ホルダー１１に取付けられていて、下面側に複数、例えば６つのＬＥＤ５ａ、５ｂ、５ｃ、５ｄ、５ｅ及び５ｆを備える。図５（平面図）に、光源５の上側ホルダー１１に対する取付け状態を示す。これらＬＥＤ５ａ〜５ｆは分散配置されていて、例えばＬＥＤ５ａは正五角形の中心位置に、残りのＬＥＤ５ｂ〜５ｆは正五角形の頂点位置に配置している。また、これらＬＥＤ５ａ〜５ｆは、窓９よりも高い位置に配されているので、光透過部４ａからの透過光を、被取付部３０の周りに向けて出射させる。
【００３２】
したがって、本実施形態による場合には、光源５からの光は、貼着シート４の光透過部４ａから外側に透過し、その透過光の形状は光透過部４ａの形状になる。そして、被取付部３０の周りに達した光の形状は、光源５、光透過部４ａ及び被取付部３０の位置関係に応じて変化するため、被取付部３０の周囲に明暗部の境界が任意の形状をした明部を形成させることができ、これにより趣向性が向上する。特に、本実施形態では光源５として複数のＬＥＤ５ａ〜５ｆを分散配置しているので、以下のように趣向性を更に向上させ得る。
【００３３】
すなわち、図６（ａ）及び（ｂ）に示すように、図中最も左側に位置するＬＥＤ５ｂから図中左側の光透過部４ａを経て被取付部３０の周りに達する明部Ｌｂの位置は照明装置１に近く、図中最も右側に位置するＬＥＤ５ｄ、５ｅから同光透過部４ａを経て被取付部３０の周りに達する明部Ｌｄ、Ｌｅの位置は照明装置１から遠くになり、また明部の長さも変化する（図６（ａ）参照）。更に、図中最も手前側に位置するＬＥＤ５ｃから同光透過部４ａを経て被取付部３０の周りに達する明部Ｌｃの位置は最も奥側になり、図中最も奥側に位置するＬＥＤ５ｆから同光透過部４ａを経て被取付部３０の周りに達する明部Ｌｆの位置は最も手前側になって、位置が異なる。加えて、これら明部Ｌｃ及びＬｆは、ＬＥＤ５ｃおよび５ｆが図６（ｂ）の左右方向においてＬＥＤ５ｂとＬＥＤ５ｄ、５ｅとの間に位置するため、明部Ｌｂよりも照明装置１から遠く明部Ｌｄ、Ｌｅよりも照明装置１に近い位置になる。また、各明部Ｌａ〜Ｌｆの形状も異なる。
【００３４】
以上のように、各ＬＥＤ５ａ〜５ｆからの光による被取付部３０上の明部Ｌａ〜Ｌｆの位置および形状が、ＬＥＤ５ａ〜５ｆ、図中左側の光透過部４ａ及び被取付部３０の位置関係に応じて変化したものになり、ＬＥＤの数に応じた複数の形状の明部を被取付部３０の周囲に形成させ得、趣向性を更に向上させ得る。また、残り３つの図中右側、手前側、奥側の光透過部４ａからの光による被取付部３０上の明部の位置および形状も、ＬＥＤ５ａ〜５ｆ、光透過部４ａ及び被取付部３０の位置関係に応じて変化したものとなる。なお、図中手前側の光透過部４ａからの光による被取付部３０上の明部の位置および形状は、表していないが、奥側の光透過部４ａからの光による被取付部３０上の明部の位置および形状と線対称である。
【００３５】
なお、上述した実施形態では光透過部として縦長のスリット状に形成しているが、本発明はこれに限らない。例えば、図７（ａ）に示すような星と三角形とを組み合わせた光透過部４ａ’や、図８（ａ）に示すような長さ及び幅が異なる３つの線分を組み合わせた光透過部４ａ’’などを含む任意の形状のものでもよい。このような光透過部４ａ’、４ａ’’の形成により、図７（ｂ）や図８（ｂ）に示すように、被取付部３０の周囲に明暗部の境界が任意の形状をした明部を形成させることができる。但し、図７（ｂ）においては、図中右側、手前側および奥側の光透過部４ａ’からの光による被取付部３０上の明部は省略して表している。
【００３６】
また、上述した実施形態では光源を一定高さ位置に固定しているが、本発明はこれに限らない。例えば、図９に示すように蓋７の内側に電動モータ２０を配置し、その電動モータ２０の回転軸２０ａに取付けた滑車２１と光源５とを紐２２にて連結し、回転軸２０ａを正方向と逆方向に交互に回転させることで、光源５を被取付部３０に対して接離する方向（上下方向）に往復移動（昇降）する構成としてもよい。このような構成とした場合には、光源５の往復移動の時間的変化に伴って、照明装置１に対して遠近方向に連続的かつ動的な動きで明部の位置や形状を変化させ得る。
【００３７】
更に、本発明は、図１０に示すような構成としてもよい。すなわち、蓋７の内側に電動モータ２３を配置し、その電動モータ２３の回転軸２３ａと光源５の上側に設けた棒部材２４とをカップリング２５で連結し、回転軸２３ａを正方向または逆方向に回転させることで、光源５を被取付部３０からの法線（鉛直軸）の回りに回動する構成としてもよい。このような構成とした場合には、光源５の回動の時間的変化に伴って、正五角形の頂点位置に配置したＬＥＤ５ｂ〜５ｆと光透過部４（４ａ’、４ａ’’）との位置関係、つまり両者を上方または下方から見たときの両者の傾き角度及び両者を側面側から見たときの両者の傾き角度が変化する。これに伴って、１つのＬＥＤにより形成される明部は、概略楕円軌跡上を回転するように動くとともに、照明装置１に近い側で最も短く、その後徐々に長くなっていき、照明装置１に遠い側で最も長く、その後徐々に短くなっていき、照明装置１に近いときの最も短い状態に戻るように変化する。そのため、見る者にとって、三次元的で連続的かつ動的な明部の動きを出現させ得ることになる。
【００３８】
更にまた、本発明は、図９の昇降機構と図１０の回転機構とを組み合わせた構成としてもよい。このようにした場合には、より多彩な形状に変化する明部を形成させることができることは勿論である。
【００３９】
なお、図９、図１０では電動モータ２０、２３を蓋７の内側に設けた構成としているのは、上側ホルダー１１にて板材３の上端部を固定するので、上側ホルダー１１の重量増を回避して板材３の交換を容易に行うことができるようにするためであり、板材３の交換を考慮する必要がない場合には、上側ホルダー１１に電動モータ２０、２３等の機構を設けるようにしてもよい。或いは、本体６の内部に図示しない支持機構を介して電動モータ２０、２３等の機構を設けるようにしてもよい。
【００４０】
更に、上述した実施形態では光透過部を中央部に配し光透過部以外の部分を遮光部としているが、本発明はこれとは逆に、遮光部を中央部に配しその周りに光透過部を形成してもよい。要は、暗部が任意の形状となるようにしてもよい。
【００４１】
更にまた、上述した実施形態では板材に光透過部と遮光部とが設けられたものを用いているが、本発明はこれに限らず、遮光部の代わりに、光透過部とは異なる色の光を発生させる別構成の光透過部（第２光透過部）を設けるようにしてもよい。この構成の場合には、２つの光透過部で異なる色の透過光を形成させることができ、その色違い部の境界の形状を前同様に変化させ得る。なお、前記光透過部（４、４ａ’、４ａ’’など）も、第２光透過部とは異なる色の光を発生させる構成としてもよい。
【００４２】
更にまた、上述した実施形態では光源として６つのＬＥＤを用いているが、本発明はこれに限らず、２以上の任意の数のＬＥＤを用いてもよく、或いは、１つのＬＥＤ又は電球などを用いてもよい。
【００４３】
更にまた、上述した実施形態では明言していないが、２以上の数のＬＥＤを用いる場合には、その一部に他のＬＥＤとは異なる光を発生させるＬＥＤを用いるようにしたり、或いは全てのＬＥＤでそれぞれ異なる色の光を発生させるＬＥＤを用いるようにしてもよい。このようにすると、１つの同じ光透過部から色違いの複数のＬＥＤにより同数だけ形成される明部の色を異ならせることができる。よって、上述したように遮光部を用いずに色違いの２つの光透過部で異なる色の透過光を形成させることに加えて、異なる色の光を発生させるＬＥＤを組み合わせることで、非常に多彩な色の明部の形成が可能になる。
【００４４】
更にまた、上述した実施形態では公園入口の車止めに照明装置を取付けるようにしているが、本発明の照明装置はこれに限らない。例えば、庭や公園や街頭などの屋外照明に、或いは覆い部材の形状を適当なものに代えて、階段や廊下などの壁に横向きに取付けたり、天井に吊り下げ状態で取付けたりして屋内照明にも用いることができる。
【図面の簡単な説明】
【００４５】
【図１】本発明の一実施形態に係る照明装置を示す正面断面図である。
【図２】図１の照明装置に備わった上側ホルダーの平面図（下側ホルダーの底面図）である。
【図３】図１の照明装置に備わった本体に上側ホルダー（下側ホルダー）を位置決めして取付けた状態を示す図（図１のＡ−Ａ線による断面図）である。
【図４】本体に形成した切欠部と上側ホルダー（下側ホルダー）に形成した凹部とで囲まれる領域に板材を配置させた状態を示す模式図である。
【図５】光源の上側ホルダーに対する取付け状態を示す平面図である。
【図６】図１の照明装置における各ＬＥＤからの光が被取付部の周りに達する位置が、ＬＥＤ、光透過部及び被取付部の位置関係に応じて変化することを説明するための図である。
【図７】光透過部の形状を他のものに代えた場合における図６相当図である。
【図８】光透過部の形状を更に他のものに代えた場合における図６相当図である。
【図９】本発明の他の実施形態に係る照明装置を示す正面断面図である。
【図１０】本発明の更に他の実施形態に係る照明装置を示す正面断面図である。
【符号の説明】
【００４６】
１    照明装置
２    覆い部材
３    光透過性の板材
４    貼着シート
４ａ、４ａ’、４ａ’’    光透過部
４ｂ    遮光部
５    光源
５ａ、５ｂ、５ｃ、５ｄ、５ｅ、５ｆ    ＬＥＤ
７    蓋
８    内部空洞
９    窓
１０    取付部
２０、２３    電動モータ
３０    被取付部
【図１】
2007087892.tif 000003
【図２】
2007087892.tif 000004
【図３】
2007087892.tif 000005
【図４】
2007087892.tif 000006
【図５】
2007087892.tif 000007
【図６】
2007087892.tif 000008
【図７】
2007087892.tif 000009
【図８】
2007087892.tif 000010
【図９】
2007087892.tif 000011
【図１０】
2007087892.tif 000012